(57)【要約】【課題】  携帯情報通信機器に装着するカバーにおいて、脱着が容易で、機器に密着保持され、衣服やバッグのポケットなどへの収納に嵩張らず、イヤホン等付属部品の装着を妨げることなく、機器を汚れや傷から保護する、さらに、手の汗や汚れを払拭できるカバーを提供することを課題とする。【解決手段】  長さ方向と幅方向に伸縮性を有し、長さ方向もしくは幅方向に開口部を配置する筒型の形状を特徴とするカバーを提案し、さらに水分や油分の吸収性の高い布地を使用することにより、前記課題を解決する。【選択図】図１
0003154799.tif 000002
【実用新案登録請求の範囲】
【請求項１】
携帯情報通信機器に装着するカバーにおいて、長さ方向と幅方向に伸縮性を有し、長さ方向もしくは幅方向に配置する開口部が胴部より狭窄した筒型の形状を特徴とするカバー。
【請求項２】
携帯情報通信機器に装着するカバーにおいて、長さ方向と幅方向に伸縮性を有し、長さ方向もしくは幅方向に配置する開口部と胴部が同径の筒型の形状を特徴とするカバー。
【請求項３】
携帯情報通信機器に装着するカバーにおいて、長さ方向と幅方向に伸縮性を有し、長さ方向もしくは幅方向に配置する開口部が胴部より狭窄した筒型の形状を特徴とする、水分や油分の吸収性の高い布地からなる手汗取りカバー。
【考案の詳細な説明】
【技術分野】
【０００１】  本考案は、携帯情報通信機器に装着するカバーに関するものである。
【背景技術】
【０００２】  従来の携帯情報通信機器に装着するカバーとしては、例えば携帯電話カバーとして一般的なものに携帯電話を収納し蓋をホック等で閉じる箱形のもの（例えば特許文献１参照）がある。また、袋型のもの（例えば特許文献２参照）や、伸縮性布帛で画面や操作パネル部を除いて覆い包む携帯電話カバー（例えば特許文献３参照）がある。【０００３】  さらに、タオル生地を使用して携帯電話の画面や筐体の汚れを払拭するための携帯電話が収納可能なストラップ（特許文献４参照）などがある。【０００４】  しかしながら、以上の技術によれば、カバーの蓋やホックを開閉してカバーの脱着に手間を要したり、衣服やバッグのポケットなどへの収納に嵩張ったりした。【０００５】  また、使用頻度の高いリモコン付きイヤホン等付属品の装着を妨げる形状であったり、リモコン付きイヤホン等の逐次の脱着が必要な時にカバーをその都度外さなければならない不便な形状であった。【０００６】  さらに、ビニル製のカバーでは、手の汗や手に付着した汚れや油分を吸収することもなくその手で機器を汚すことがあった。また、機器を手の汗や油分で滑らせて落下させることもあった。【０００７】  機器に付着した汚れを拭くためのバンド型布地を有するストラップにおいては、機器をカバーした時にカバー開口部に布地の余分な弛みや皺が生じる。特に、筐体が曲面からなる形状の機器や薄型の形状の機器に装着した場合、布地の余分な弛みや皺が顕著である。
そのことを回避するためにカバーの幅を機器の幅より短くすると、機器角部を完全に覆い包むことができなくなり、機器を汚れや傷から防護することができなかった。【０００８】  また、前記ストラップにおいては、布地に付着した汚れを落とすため、繰り返しの洗濯による伸びや縮みの弛みや皺がさらに生じて、機器の外装アクセサリとしての美観をも損なうものであった。
【先行技術文献】
【特許文献】
【０００９】
【特許文献１】  登録実用新案第３０２８２２８号
【特許文献２】  特許公開２００１−１１７０３
【特許文献３】  特許公開２００４−３３７３４２
【特許文献４】  登録実用新案第３０７４７８４号
【考案の概要】
【考案が解決しようとする課題】
【００１０】  そこで、本考案は、携帯情報通信機器に装着するカバーにおいて、脱着が容易で、機器に密着保持され、衣服やバッグのポケットなどへの収納に嵩張らず、イヤホン等付属品の装着を妨げることなく、機器を汚れや傷から保護し、しかも安価なコストでカバーを提供することを課題とする。【００１１】  また、前記課題を解決しながらも、手の汗や汚れを拭くための布地からなり、機器を握ったり触れたりして手を拭きやすい形状であり、手を拭く時に機器を滑らせて落下させないように機器にしっかりと密着保持され、手の汗や汚れから機器を保護するカバーを提供することを課題とする。【００１２】  さらに、前記課題において、布地に付着した汚れを落とすため、洗濯による伸びや縮みから生じる弛みや皺を防ぐカバーを提供することを課題とする。【００１３】  なお、本考案で掲げる携帯情報通信機器とは、ＰＨＳを含む携帯電話、ＰＤＡ、携帯コンピュータ、携帯パソコン、携帯音楽プレーヤー、携帯デジタルメディアプレーヤー、携帯テレビゲーム機などを指す。
【課題を解決するための手段】
【００１４】  以上の課題を解決するために、本考案請求項１のカバーは、携帯情報通信機器に装着するカバーにおいて、長さ方向と幅方向に伸縮性を有し、開口部が胴部より狭窄した筒型の形状を特徴とするカバーである。【００１５】  本考案請求項２のカバーは、携帯情報通信機器に装着するカバーにおいて、長さ方向と幅方向に伸縮性を有し、開口部と胴部が同径の筒型の形状を特徴とするカバーである。【００１６】  本考案請求項１と請求項２のカバーは、織機または編機により弾性糸を使用して長さ方向と幅方向に伸縮性を有する布地の使用が好ましいが、同様に弾性糸を使用して長さ方向と幅方向に伸縮性を有する不織布や、長さ方向と幅方向に伸縮性を有する軟質樹脂材料などで形成されてもよい。【００１７】  本考案請求項３のカバーは、携帯情報通信機器に装着するカバーにおいて、長さ方向と幅方向に伸縮性を有し、開口部が胴部より狭窄した筒型の形状を特徴とする、水分や油分の吸収性の高い布地からなる手汗取りカバーである。【００１８】  本考案請求項３の水分や油分の吸収性の高い布地とは、綿など植物繊維が高い吸収力を保持し、製糸方法やパイルやリブ、起毛、ガーゼなど織り方や編み方により吸収力を向上させた布地を指す。また、水分や油分高吸収機能繊維の使用や、高水分吸収、高水分乾燥、高油脂吸収など機能性加工が施された布地を使用してもよい。さらに、以上の布地を積層させることにより、より一層の吸収力を向上させた布地を使用してもよい。【００１９】  また、水分や油分の吸収性の高い布地は、カバー外側になる面を手の汗や水気、手に付いた汚れや油分などを払拭するのに相応しい織り方や編み方を用い、カバー内側になる面を機器に付着した汚れや油分を払拭するのに相応しいきめ細かな織り方や編み方を用いて形成してもよい。
【考案の効果】
【００２０】  本考案請求項１によれば、カバーは長さ方向と幅方向に伸縮性を有し、両側に開口部を持つ筒型に形成されているため、機器を簡単に覆い包み込んで装着することができ、機器に密着保持される。カバーの蓋やホックを開閉することもなく脱着を容易にすることができる。【００２１】  本考案請求項１によれば、筒型形状のカバーは、カバー開口部の径がカバー胴部の径より狭窄して形成されているので、機器角部及びカバー開口部において、弛みや皺を生ずることなく機器に密着保持させて覆い包み込むことができる。また、カバーがずれたり外れたりすることを防ぐことができる。特に、筐体が曲面からなる形状の機器や厚さが概ね２０ｍｍ以下の機器のカバーとして装着する場合に適している。【００２２】  本考案請求項１によれば、機器を覆い包み込んで密着保持されるので、箱型や袋型のカバーのように蓋などの必要も無く角部の余分な空スペースも無くなり、衣服やバッグのポケットなどへの収納にも嵩張らない。【００２３】  本考案請求項１のように、筒型形状を特徴とするカバーにおいて、布地で伸縮性を有さない場合、あるいは長さ方向だけなど一方向にだけ伸縮性を有するゴムバンドの場合（引用文献４考案の詳細な説明００１３）、機器角部やカバー開口部に弛みや皺が生じてきれいに密着保持されず、機器の外装アクセサリとして美的外観をも損なうことになる。【００２４】  また、これを回避するために、カバーの幅を機器の幅より短くすると、機器角部が露出することになり、機器角部の汚れや傷から保護することができなくなる。【００２５】本考案請求項１によれば、カバーは長さ方向と幅方向に伸縮性を有し、さらに、カバー開口部が狭窄して形成されているので、機器角部やカバー開口部に弛みや皺も生ずることがなく、機器にしっかりと密着保持させて覆い包み込むことができ、機器を、汚れや傷から保護することができる。
特に、筐体が曲面からなる形状の機器や薄型の形状の機器に装着した場合にも、余分な弛みや皺を生ずることもなく、機器にしっかりと密着保持させて覆い包み込むことができ、汚れや傷から保護することができる。【００２６】  本考案請求項１によれば、例えば携帯電話などでは、使用頻度の高いあるいは逐次脱着が必要なリモコン付きイヤホン等付属品の機器本体接続部は、機器側面もしくは機器天面か底面に設置されていて、その設置場所は機器または同一機器の機種により異なる。
このような場合、カバー開口部を長さ方向もしくは幅方向に配置することにより、異なるリモコン付きイヤホン等付属品の機器本体接続部の設置場所に容易に対応させることができる。【００２７】  こうして、カバーを装着すると、機器本体付属品接続部にカバー開口部が配置されるので、カバーを外すこともなくリモコン付きイヤホン等付属品を装着することができ、逐次の脱着が必要な時にも容易に且つ俊敏に操作することができる。【００２８】  本考案請求項１によれば、機器筐体表面形状に凹凸がある場合でも、きれいに覆い包み込んで密着保持させることができる。【００２９】  本考案請求項１によれば、機器を覆い包み込み密着保持されるので、カバーに蓋などの必要もなく、ホックやファスナーその他取り付け部品も不要で製造工程も簡素であるため、安価なコストでカバーを提供することができる。【００３０】  本考案請求項１によれば、カバーは長さ方向と幅方向に伸縮性を有し機器を覆い包み込んで密着保持されるので、例えば携帯電話のように、機種は極めて多くあるが、機種による長さ、幅、厚みのサイズに大きな差異幅がない場合には、一つのサイズのカバーで多くの機種に対応させることが可能になる。カバーの製造コスト、生産ロス、在庫損失が低減され、安価なコストでカバーを提供することができる。このことは大量生産にも適合し、さらに安価なコストでカバーを提供することができる。【００３１】  本考案請求項２によれば、小型化、薄型化が進む携帯情報通信機器においても、厚みがある角型長方体の機器にカバーを装着する場合、カバー開口部の径をカバー胴部の径より狭窄して形成することをしなくても、機器角部やカバー開口部を密着保持させることができる場合がある。ここでいう厚みがある機器とは、装着するカバーの材質や厚さ、カバーの長さ方向と幅方向の伸縮率、カバー開口部の装着時の面積などによって異なり特定することはできないが、カバーを機器に密着保持させて、且つカバーを容易に脱着しやすい適切な伸縮率の場合、概ね２０乃至２５ｍｍ以上の厚さのものを指す。【００３２】  本考案請求項３によれば、手の汗や水気、手に付いた汚れや油分などを、機器に装着されたカバーを握ったり触れたりすることにより払拭することができる。手の汗や水気、手に付いた汚れなどが機器に付着することを防ぎ、機器を汚れから保護することができる。【００３３】  例えば、夏季に屋外で働く人、高温な場所で働く人、水気、汚れや油などをよく手にする職場で働く人、手のひらによく汗をかく体質の人、スポーツや水辺のレジャーなどに、特に有益である。【００３４】  本考案請求項３によれば、蓋やホックその他取り付け部品などがなく、カバー全面で手の汗や汚れを払拭しやすいフラットな形状のカバーを提供することができる。さらに、カバー開口部が狭窄して形成されているので、カバーは機器角部できちんと密着保持され、手を拭くときにカバーが機器からずれたり外れたりすることを防護することができる。【００３５】  本考案請求項３によれば、手の汗や水気、手に付いた油分などで、機器を手から滑らせて落下させることを、手の水気や油分を払拭することにより、あるいはカバー装着時は布地の摩擦抵抗により軽減することができ機器を保護することができる。特に、光沢のある鏡面表面加工を施した筐体の機器には有益である。【００３６】  本考案請求項３によれば、さらに、機器に付着した手の汗や水気、汚れや油分などを、カバーを装着したままの状態でカバーの内側で払拭することができ、機器を汚れの付着から保護し便利である。カバーを装着したままの状態でカバーの内側で払拭するために指でカバーを擦るように動かして払拭しても、カバーは機器角部できちんと密着保持されているので、カバーが機器からずれたり外れたりすることを防護することができる。【００３７】  本考案請求項３のように、カバーに付着した汚れを洗濯する必要があるが、布地に伸縮性を有さない場合、カバー開口部に洗濯による伸びや縮みから生じる弛みや皺ができる。【００３８】  また、長さ方向だけなど一方向にだけ伸縮性を有する場合、さらに、カバー開口部が狭窄して形成されていない場合、洗濯による布地の伸縮率と一方向の弾性糸やゴムバンド（引用文献４考案の詳細な説明００１３）の伸縮率が異なるため、カバー開口部に洗濯による弛みや皺が生じ、カバーの機器への密着保持性を損なう。洗濯による弛みや皺は、機器の外装アクセサリとして見苦しく美的外観をも損なうことになる。【００３９】  これを回避するために、カバーの幅を機器の幅より短くすると、機器角部が露出することになり、機器角部やカバー開口部の汚れや傷を防護することができなくなる。【００４０】  本考案請求項３によれば、カバーに付着した汚れを洗濯する場合、長さ方向と幅方向に伸縮性を有し、さらに、カバー開口部が狭窄して形成され、カバー開口部を機器にしっかりと密着保持させて覆い包み込むことができるので、洗濯による伸びや縮みから生じるカバー開口部の弛みや皺を防ぐことができる。機器筐体が曲面からなる形状である場合も、同様に洗濯による弛みや皺もなくカバー開口部を機器にしっかりと密着保持させて覆い包み込むことができる。
【図面の簡単な説明】
【００４１】
【図１】  本考案のカバーを機器に装着した実施例１を示す斜視図である。
【図２】  本考案のカバーを機器に装着した実施例２を示す斜視図である。
【図３】  請求項１と３の実施形態を示す斜視図である。
【図４】  請求項２の実施形態を示す斜視図である。
【考案を実施するための形態】
【００４２】  請求項１と３の実施形態を図３に示す。開口部２は胴部より狭窄して形成される。
（ａ）は、開口部２を長さ方向に配置した実施形態を示す。
（ｂ）は、開口部２を幅方向に配置した実施形態を示す。
使用頻度の高いイヤホン等付属品の機器本体接続部や操作ボタンの設置場所により、開口部２を長さ方向あるいは幅方向に配置する。
【００４３】  本考案請求項２の実施形態を図４に示す。開口部２は胴部と同径で形成される。
（ｃ）は、開口部２を長さ方向に配置した実施形態を示す。
（ｄ）は、開口部２を幅方向に配置した実施形態を示す。
【実施例１】
【００４４】  幅方向に開口部２が配置された本考案のカバー１を、携帯電話３に装着した実施形態を図１に示す。【００４５】  カバー開口部２が、機器側面に設置されたイヤホン接続部４に位置するので、イヤホンの装着を妨げない。また、必要に応じて逐次イヤホンを容易に脱着することができる。【００４６】  携帯電話に、特に角部や開口部が密着保持され、脱着が容易で、ポケットなどへの収納に嵩張らず、機器を汚れや傷から保護するカバーを提供することができる。
【実施例２】
【００４７】  長さ方向に開口部２が配置された本考案のカバー１を、携帯音楽プレーヤー５に装着した実施形態を図２に示す。【００４８】  カバー開口部２が、機器天面に設置されたヘッドホン接続部６に位置するので、ヘッドホンの装着を妨げず、ヘッドホンを接続して機器を使用することができる。
【産業上の利用可能性】
【００４９】  携帯電話を含む携帯情報通信機器は、高機能化と多機能化、小型化と薄型化が進展し、生活に一層密着して常に身の回りに所持するようになり、その利用頻度や利用スタイルが変化している。この変化に対応できるカバーを提供することができ、しかも安価なカバーを提供することが可能となる。
【符号の説明】
【００５０】１  カバー
２  カバー開口部
３  携帯電話
４  イヤホン接続部
５  携帯音楽プレーヤー
６  ヘッドホン接続部
【図１】
0003154799.tif 000003
【図２】
0003154799.tif 000004
【図３】
0003154799.tif 000005
【図４】
0003154799.tif 000006
【手続補正書】
【提出日】平成21年7月16日(2009.7.16)
【手続補正１】
【補正対象書類名】実用新案登録請求の範囲
【補正対象項目名】全文
【補正方法】変更
【補正の内容】
【実用新案登録請求の範囲】
【請求項１】
携帯情報通信機器に装着するカバーにおいて、長さ方向と幅方向に伸縮性を有し、長さ方向もしくは幅方向に配置する開口部が胴部より狭窄した筒型の形状を特徴とするカバー。
【請求項２】
携帯情報通信機器に装着するカバーにおいて、長さ方向と幅方向に伸縮性を有し、長さ方向もしくは幅方向に配置する開口部と胴部が同径の筒型の形状を特徴とするカバー。
【請求項３】
携帯情報通信機器に装着するカバーにおいて、長さ方向と幅方向に伸縮性を有し、長さ方向もしくは幅方向に配置する開口部が胴部より狭窄した筒型の形状を有し、水分や油分の吸収性の高い布地からなることを特徴とするカバー。
【手続補正２】
【補正対象書類名】明細書
【補正対象項目名】００１７
【補正方法】変更
【補正の内容】
【００１７】  本考案請求項３のカバーは、携帯情報通信機器に装着するカバーにおいて、長さ方向と幅方向に伸縮性を有し、長さ方向もしくは幅方向に配置する開口部が胴部より狭窄した筒型の形状を有し、水分や油分の吸収性の高い布地からなることを特徴とするカバーである。